(57)【特許請求の範囲】
【請求項１】
建造物の壁１に上下左右に蛇行した経路として取付けられたガイドレール２に多数個、鎖状に連結した階段ユニット５を沿わせて運行していくとき、ガイドレール２の上下の傾斜に順応するため、隣り合う階段ユニット５を垂直にずらせて適当な階段としての段差を生じさせるため、ガイドレール２に取付けた連結金具８の溝形案内１０で両方の階段ユニット本体６の端に設けられた縦方向の棒状突起７等を同時に挟み込むよう、しかも褶動可能に取付ける構造とし、又、ガイドレール２の方向転換に順応するため階段ユニット５の上に載っている踏板部１２を二分割して、支点軸１３を中心として常に隣りの階段ユニット５の側板に接するよう、扇形に拡げるようにし、そしてこの時上面に生じる段差を埋めるため、その境界部１７を互いに噛み合う櫛歯構造とし、又、階段ユニット５の下部外周に垂直方向に歯形を持つラック歯板１８を取付け、モーター付減速機２１のチェインホイール２０により駆動されるエンドレスチェイン１９又はエンドレス歯形ベルトを噛み合わせて駆動し、このような駆動箇所を連結した階段ユニット５に数カ所設けて鎖状に連結した多数の階段ユニット５を運行させる構造とし、これに加えて階段ユニット５に長尺ピニオン棒２２を垂直に回転自在に取付け長尺ピニオン棒２２をガイドレール２に並行して建造物の壁１に取付けられた垂直方向の歯をもつ上下２本のラック歯長尺板４に同時に垂直に噛み合わせることにより運行中に生じる各階段ユニット５のガイドレール２との接触個所の変化及び牽引力の方向の変化により生じるそれの揺動を防止して、各階段ユニット５の姿勢を常に垂直に保持して鎖状に連結した長尺の階段ユニット５を円滑に運行することが可能となり、廻り階段のような形状で低層階より高層階まで廻りながら上昇し、最上階で隣りの場所に移り換わり、同じ方向に廻りながら下降し、最下階で又上昇に戻る自動廻り階段が可能となり、且各階層の一部に水平運行場所を設けることにより、その階の乗降を可能とする昇降一対のエンドレス自動廻り階段の構造
【請求項２】
特許請求の範囲の請求項１に記載のエンドレス自動廻り階段の構造に於ける鎖状に連結した階段ユニットの水平回転場所の外周に沿うて移動するシートコンベアー２４の構造であって、ゴム等の柔軟性のある環状形平面のシート２５又は金属棒を放射線状に並べ、これを細線等を連結して柔軟性のある環状形とした平面シートの直径上に２個のモーター内蔵形ローラー２６を載せ、それを２ツ折りにして上からかぶせた形状にし放射形に数本の同じモーター内蔵形ローラー２６又は数板の支持板等で支え、これらのモーター内蔵形ローラー２６を同時に同方向に回転することにより、環状形平面シート２５の上半分を下半分の側に、下半分を上半分の方に移り変えらせて、エンドレスに運行出来るようにした半円周運行を可能にしたシートコンベアーの構造。
【発明の詳細な説明】
【技術分野】
【０００１】  多人数に利用される大型建築用エスカレーターとして使用される。
【背景技術】
【０００２】  大型建築用に現在使用されているエスカレーターは直線形である。
【発明の開示】
【発明が解決しようとする課題】
【０００３】  現在のエスカレーターは一階毎に乗り換えて、次の階に移行するものであるが、本発明は一度の乗り込みでそのまま最上階まで昇ることが可能で、しかも各階でも途中で降りることを可能にする。即ちエレベーターの機能も併せ持つようにする。且廻り階段式であるため設置場所を少なくすることが可能である。
【課題を解決するための手段】
【０００４】  建造物の壁１に上下左右に蛇行した経路として取付けられたガイドレール２に多数個、鎖状に連結した階段ユニット５を沿わせて運行していくとき、ガイドレール２の上下の傾斜に順応するため、隣り合う階段ユニット５を垂直にずらせて適当な階段としての段差を生じさせるため、ガイドレール２に取付けた連結金具８の溝形案内１０で両方の階段ユニット本体６の端に設けられた縦方向の棒状突起７等を同時に挟み込むよう、しかも褶動可能に取付ける構造とする。【０００５】  又、ガイドレール２の方向転換に順応するため階段ユニット５の上に載っている踏板部１２を二分割して、支点軸１３を中心として常に隣りの階段ユニット５の側板に接するよう、扇形に拡げるようにし、そしてこの時上面に生じる段差を埋めるため、その境界部１７を互いに噛み合う櫛歯構造とする。【０００６】  又、階段ユニット５の下部外周に垂直方向に歯形を持つラック歯板１８を取付け、モーター付減速機２１のチェインホイール２０により駆動されるエンドレスチェイン１９又はエンドレス歯形ベルトを噛み合わせて駆動し、このような駆動箇所を連結した階段ユニット５に数カ所設けて鎖状に連結した多数の階段ユニット５を運行させる構造とする。【０００７】  又、階段ユニット５に長尺ピニオン棒２２を垂直に回転自在に取付けて、この長尺ピニオン棒２２をガイドレール２に並行して建造物の壁１に取付けられた垂直方向の歯をもつ上下２本のラック歯長尺板４に同時に垂直に噛み合わせることにより運行中に生じる各階段ユニット５のガイドレール２との接触個所の変化及び牽引力の方向の変化により生じるそれの揺動を防止して、各階段ユニット５の姿勢を常に垂直に保持して、鎖状に連結した長尺の階段ユニット５を円滑に運行することが可能となり、迴り階段のような形状で低層階より高層階まで廻りながら上昇し、最上階で隣りの場所に移り換わり、同じ方向に廻りながら下降し、最下階で又上昇に戻る自動廻り階段が可能となり、且各階層の一部に水平運行場所を設けることにより、その階の乗降を可能とする昇降一対の自動廻り階段の構造である。
【発明の効果】
【０００８】  各階への昇降の多い多人数収容の大型建物の上下の運行は本発明の自動廻り階段の設置によりあまり大きな設備空間を必要とせず、且、円滑に最上階まで昇降が可能となり、所要時間も短縮できる利点がある。
【発明を実施するための最良の形態】
【０００９】  図１、図２及び図３は階段ユニット５が傾斜したガイドレール２に沿うて段差をもって運行される状態を示すものである。階段ユニット５の中央には中央支持金具１１が取付けられており、これがガイドレールの頭部３に褶動可能に嵌合させることにより階段ユニット５の高さが決められる。【００１０】  一方、ガイドレール２には連結金具８が取付けられ、これの２個のレール用車輪９によりガイドレールの頭部３を挟んで転動し、離脱しないようになっている。【００１１】  建造物の壁１に上下左右に蛇行した経路として取付けられたガイドレール２の上下の傾斜に順応するため、隣り合う階段ユニット５を垂直にずらせて適当な階段としての段差を生じさせるため、ガイドレール２に取付けた連結金具８の溝形案内１０で両方の階段ユニット本体６の端に設けられた縦方向の棒状突起７等を同時に挟み込むよう、しかも褶動可能に取付けられている。【００１２】  又、ガイドレール２の方向転換に順応するため、階段ユニット５の上に載っている踏板部１２を二分割して、支点軸１３を中心として常に隣りの階段ユニット５の側板に接するよう、扇形に拡げるようにし、そしてこの時上面に生じる段差を埋めるため、その境界部１７を互いに噛み合う櫛歯構造としている。踏板部１２には拡大用バネ１６の力により、リンク及びカラー１５は作動し、左右の踏板部１２は同角度扇形に拡げられる。【００１３】  図４及び図５は連結した階段ユニットの一部が平面になっていて、この場所でその階の床に乗降できる。そしてこの場所にモーター付減速機２１のチェインホイール２０により駆動されるエンドレスチェイン１９又はエンドレス歯形ベルトを設置してこれを階段ユニット５の下部外周の設けられた垂直方向の歯形をもって下部ラック歯板１８に噛み合わせて多数個、鎖状に連結した階段ユニット５を駆動する。このような駆動個所は階段ユニット５が平面となる各階毎に設置できるため、動力の伝達は容易である。【００１４】  又、階段ユニット５に長尺ピニオン棒２２を垂直に回転自在に取付けて、この長尺ピニオン棒２２をガイドレール２に並行して建造物の壁１に取付けられた垂直方向の歯をもつ上下２本のラック歯長尺板４に同時に垂直に噛み合わせることにより運行中に生じる各階段ユニット５のガイドレール２との接触個所の変化及び牽引力の方向の変化により生じるそれの揺動を防止して、各階段ユニット５を常に垂直に保持して鎖状に連結した長尺の階段ユニット５を円滑に運行することが可能となり、廻り階段のような形状で低層階より高層階まで廻りながら上昇し、最上階で隣りの場所に移り換わり、同じ方向に廻りながら下降し、最下階で又上昇に戻る自動廻り階段が可能となり、且各階層の一部に水平運行場所を設けることにより、その階の乗降が出来る昇降一対のエンドレス自動廻り階段が可能になる。【００１５】  図７は上記の昇降一対の自動廻り階段の略図の平面図であって、右階段は時計廻りで上昇し、最上階で左階段に移り時計廻りで下降していく。右階段より左階段、左階段より右階段へ移る過程は平面移行であり、階段ユニットの踏板部の扇形は狭められた状態となる。猶各階には階段ユニットが平面となっている乗降場所が設けられる。【００１６】  図４、図５、及び図６のシートコンベアー２４はゴム等の柔軟性のある環状形平面のシート２５又は金属棒を放射線状に並べ、これを細線等連結して柔軟性のある環状形とした平面シートの直径上に２個のモーター内蔵形ローラー２６を載せ、それを２ツ折りにして上からかぶせた形状にし放射形に数本の同じモーター内蔵形ローラー２６又は数板の支持板等で支え、これらのモーター内蔵形ローラー２６を同時に同方向に回転することにより、環状形平面シート２５の上半分を下半分の側に、下半分を上半分の方に移り変えらせて、エンドレスに運行出来るようにした半円周シートコンベアー２４であって、これを鎖状に連結した階段ユニット５の水平回転場所の外周に図４のように配置して、この運行速度を階段ユニット５の運行速度の半分程度に落とすことにより乗降する人が階段ユニット５より先ずこのシートコンベアー２４上に移り、静止している建物床に移ることが出来るので乗降にともなう安全性を増すことが出来る。
【図面の簡単な説明】
【００１７】
【図１】本発明の実施形態の実施例として、階段ユニットが段差になっている状態の１／２部分の平面図
【図２】図１のＡ−Ａ矢視の正面図
【図３】図１のＢ−Ｂ断面図
【図４】本発明の実施形態の実施例として、階段ユニットが一部平面になっている状態の１／２部分の平面図
【図５】図４のＣ−Ｃ断面図
【図６】図４の側面図
【図７】本発明の実施形態の実施例として、昇降一対の自動廻り階段の略図の平面図
【図８】図７の正面図
【符号の説明】
【００１８】  １・・・建造物の壁                    ２・・・ガイドレール
３・・・ガイドレールの頭部            ４・・・ラック歯長尺板
５・・・階段ユニット                  ６・・・階段ユニット本体
７・・・階段ユニット本体の縦方向の棒状突起  ８・・・連結金具
９・・・連結金具のレール用車輪      １０・・・連結金具の溝形案内
１１・・・階段ユニット本体の中央支持金具  １２・・・階段ユニットの踏板部
１３・・・踏板部の支点軸              １４・・・踏板部拡大用案内軸
１５・・・踏板部拡大用リンク及びカラー    １６・・・踏板部拡大用バネ
１７・・・踏板部の境界部櫛歯          １８・・・階段ユニットの下部ラック歯板
１９・・・駆動用エンドレスチェイン    ２０・・・チェインホイール
２１・・・モーター付減速機            ２２・・・階段ユニットの長尺ピニオン棒
２３・・・階段ユニットの手摺          ２４・・・シートコンベアー
２５・・・環状形平面のシート          ２６・・・モーター内蔵形ローラー
【要約】      （修正有）【課題】一度の乗り込みでそのまま最上階まで昇ることが可能で、しかも各階でも途中で降りることを可能にする昇降一対の自動廻り階段の提供。【解決手段】建造物の壁に蛇行するガイドレール２を取付け、これに沿うて多数個鎖状に連結した階段ユニット５を運行させるとき、隣り合う階段ユニットを垂直にずらせて階段としての段差を生じさせ、又ガイドレールの方向転換に順応するため踏板部を二分割して扇形に拡げるようにし、又階段ユニットの下部外周にラック歯板１８を取付けてチェインを噛み合わせて駆動し、更に階段ユニットに長尺ピニオン棒２２を垂直に取付けて、これを建造物の壁に取付けた垂直方向の歯をもつ、上下２本のラック歯長尺板４に噛み合わせることにより階段ユニットの姿勢を常に垂直に保持して鎖状の長尺の階段ユニットを安定した状態で運行できうるようにした。【選択図】図３【図１】
0004151734.tif 000002
【図２】
0004151734.tif 000003
【図３】
0004151734.tif 000004
【図４】
0004151734.tif 000005
【図５】
0004151734.tif 000006
【図６】
0004151734.tif 000007
【図７】
0004151734.tif 000008
【図８】
0004151734.tif 000009